(57)【特許請求の範囲】
【請求項１】
シリンダー部材とピストン部材とを具えたポンプ装置を取付部材を介して容器口部に取着し、ポンプ装置の注出筒に液受皿を取着した注出容器であって、
取付部材は、皿状に凹んだ湾曲面を上面とした上壁と、該上壁の内周縁に連設された液溜め部とを具備しており、
ピストン部材は、下端にピストンを形成したステムと、吐出弁、および上端に注出筒を立設したステム係合筒とを具備しており、
液受皿は、注出筒に嵌着される嵌合筒と、嵌合筒の上端から外方に広がる皿体と、注出筒の上部を被う頂壁と所定の吐出口を設けた側壁とを有する蓋体とを具備していることを特徴とする注出容器。
【請求項２】
液溜め部は、上壁の内周縁に続く傾斜壁と、該傾斜壁の下端から下方に延びる外筒と、底壁、および該底壁の内周縁から上方に延びる内筒とを具備しており、
液受皿は、嵌合筒の外周を囲み、液溜め部の内筒上端外周を囲むよう皿体の下面に垂設された外筒を具備していることを特徴とする請求項１記載の注出容器。
【請求項３】
液受皿の皿体周縁に液切り部材を設けたことを特徴とする請求項１記載の注出容器。
【発明の詳細な説明】
【０００１】
【発明の属する技術分野】
本発明は、注出容器、とくにポンプ装置の注出筒に液受皿を取り付けた注出容器に関する。
【０００２】
【従来の技術】
ステムの上端に装着した注出筒に液受皿を取り付け、注出筒より吐出された内容液を液受皿に受け、綿、パフなど塗布用具に内容液を滲み込ませて、身体の所要個所に塗布するようにした化粧液、消毒液等の液受皿を取り付けた注出容器は、従来より知られている。
【０００３】
【発明が解決しようとする課題】
ところで、従来の容器の使用にあたって、綿、パフ等の塗布用具を液受皿の液に浸漬するとき、液を液受皿からこぼしたり、周縁から溢れさせたりすることがしばしばあった。
そのため、落下した液がポンプの取付部材に付着したり、液受皿の裏面を伝わって注出筒にまで達することがあり、その都度、新しい綿、テイッシュペーパー等でふき取っていた。
【０００４】
しかしながら、ふき取りがいつも完全に行われるわけではなく、時には注出筒を伝わって、ポンプのステムとその案内筒との間、あるいはポンプのシリンダーとその内周に取着した案内筒との間から、こぼれた液が容器内に滲み込むという問題があった。
液受皿の液は、塗布用具の浸漬時に、塗布用具に付着した塵埃や雑菌によって汚れるということもあり、こぼれた液が容器内に入ることによって内容液に悪影響を与えるおそれもあった。
【０００５】
本発明は、上記の問題点を解決することを技術的課題として、液受皿からこぼれ落ちた液を液溜め部に受け、容器内に滲み込まないようにした液受皿を取り付けた注出容器を提供することを目的とする。
【０００６】
【課題を解決するための手段】
本発明は、上記の技術的課題を達成するため、注出容器として、シリンダー部材とピストン部材とを具えたポンプ装置を取付部材を介して容器口部に取着し、ポンプ装置の注出筒に液受皿を取着した注出容器であって、取付部材は、皿状に凹んだ湾曲面を上面とした上壁と、該上壁の内周縁に連設された液溜め部とを具備しており、ピストン部材は、下端にピストンを形成したステムと、吐出弁、および上端に注出筒を立設したステム係合筒とを具備しており、液受皿は、注出筒に嵌着される嵌合筒と、嵌合筒の上端から外方に広がる皿体と、注出筒の上部を被う頂壁と所定の吐出口を設けた側壁とを有する蓋体とを具備していることを特徴とする構成を採用する。
【０００７】
また、こぼれた液が、液受皿の裏面を伝わって流れることを阻止するため、液溜め部は、上壁の内周縁に続く傾斜壁と、該傾斜壁の下端から下方に延びる外筒と、底壁、および該底壁の内周縁から上方に延びる内筒とを具備しており、液受皿は、嵌合筒の外周を囲み、液溜め部の内筒上端外周を囲むよう皿体の下面に垂設された外筒を具備していることを特徴とする構成、或いは、液受皿として、皿体の周縁に液切り部材を設けたことを特徴とする構成を採用する。
【０００８】
【発明の実施の形態】
次に、本発明の注出容器の実施形態について、図面を参照して説明する。
図１において、Ａは容器本体、Ｂは取付部材、Ｃは取付部材を介して容器本体に取着されたポンプ装置、Ｄはポンプ装置の上端部に取着された液受皿、Ｅは被せ蓋である。
容器本体Ａ、取付部材Ｂ、ポンプ装置Ｃ、液受皿Ｄ、被せ蓋Ｅは、ポンプ装置Ｃに使用される圧縮バネを除いて合成樹脂をもって成型されている。
【０００９】
容器本体Ａは、口部１と肩部２、胴部３と底部４とからなっており、容器内には、内容液として化粧料、消毒液等が収納され、容器の口部１には、ネジ５が刻設されている。
【００１０】
図１，２に示すように、取付部材Ｂは、上面６を皿状の湾曲面とした上壁７と、該上壁７の中央部から垂設され、内周にネジ８を刻設した螺着筒９と、上壁７の外周縁から垂設された外筒１０と、上壁７の内周縁に連設された液溜め部１１とを有している。
【００１１】
上壁７の螺着筒９内側の下面は、平坦面１２となっており、口部１上端面との間に、パッキング１３を介して後述するポンプ装置Ｃの取付フランジ２２を挟持するようにしている。
上壁７の外周縁上端には、膨出環１４が設けられ、外筒１０の上端面１５とともに、被せ蓋Ｅの嵌合部が形成されている。
【００１２】
液溜め部１１は、前記上壁７の内周縁に続く傾斜壁１６と底壁１７、底壁１７の内周縁から上下に延びるよう連設された内筒１８とからなっており、内筒１８の下端に内方に突出する環状板１９が設けられている。
【００１３】
図３に示すように、ポンプ装置Ｃは、シリンダー部材Ｃ１とピストン部材Ｃ２とからなっている。
シリンダー部材Ｃ１は、取付筒２０と、該取付筒２０に連設されたシリンダー筒２１とを有している。
取付筒２０の上端には、取付フランジ２２が突設されており、取付筒２０の底壁２３の内周縁に、下方に延びる接続部２４が形成され、該接続部２４にシリンダー筒２１が連設されている。
【００１４】
接続部２４には、ピストン部材Ｃ２を案内する案内部材２５が嵌着されており、該案内部材２５は、上部の案内筒２６と、前記底壁２３の上面に接合するフランジ２７と、該フランジ２７の下方に延びシリンダー筒２１内周に嵌挿される取付筒２８とを具えている。
取付筒２８の外周には、接続部２４に設けた環状凹部に係合する膨出環が形成されており、案内筒２６の下端には、位置決めリブ２９が突設されている。
【００１５】
シリンダー筒２１は、その下端部が縮径され、弁受部３０が形成されている。該弁受部３０の底壁３１には、開口３２が穿設され、開口３２の周辺部底壁３１上面は弁座３３となっている。
図４（ｃ）に示すように、弁受部３０の内周には、所定間隔を置いてバネ受けリブ３４が突設されており、バネ受けリブ３４の間は液流路Ｘ１となっている。
弁受部３０の底壁３１には、チューブ保持筒３５が垂設されており、該チューブ保持筒３５にはディッピングチューブ３６が嵌着されており、前記開口３２に連通する液流路が形成されている。
【００１６】
前記弁受部３０には、弁体３７と弁軸３８とからなり上下に浮動する吸込弁３９が保持されている。
弁体３７の下端には、前記弁座３３を開閉する弁部４０が形成されており、弁体３７の外周には、複数のリブ４１が設けられ、弁体３７が前記バネ受けリブ３４の間で上下動可能、かつ周方向に妄動しないようにしている。
また、前記取付筒２８下端付近のシリンダー筒２１には、開口４２が穿孔されている。
【００１７】
図３，４に示すように、ピストン部材Ｃ２は、ステム５０と吐出弁５１、ステム５０に嵌着されたステム係合筒５２とを有している。
ステム５０は、その内周下端には、前記弁軸３８に係合してシリンダー室Ｙとの連通を遮断する係止環５３が設けられており、下端近くの外周の所定個所にはフランジ５４が突設されている。
フランジ５４の上面外周縁には、突出リング５５が立設されており、該突出リング５５とフランジ５４上面によって、吐出弁５１に対する弁座５６が構成されている。
【００１８】
フランジ５４の下面外周部から筒体５７が垂設され、筒体５７の下端面は、バネ受け面５８となっている。
筒体５７の下端面外周部から、円錐状の内面を有し断面ほぼ三角形の筒状体５９が突設されており、その外周には、図４（ｂ）に示すように、所定間隔をおいてリブ６０が突設され、リブ６０の間は液流路Ｘ２となっている。
前記ステム５０下端面、フランジ５４、筒体５７、筒状体５９によってピストンＰが構成されている。
前記バネ受け面５８と、シリンダー部材Ｃ１に設けられたバネ受けリブ３４との間に、圧縮バネ６１が弾装されており、ピストンＰを上方に付勢している。
フランジ５４上方のステム５０外周面には、吐出弁５１に係合するリブ６２が設けられ、吐出弁５１を定位置に保持するとともにリブ６２の間は液流路Ｘ３となっている。
【００１９】
吐出弁５１は、弁周壁６３と摺動周壁６４、両者を結ぶ連結部６５とからなっており、柔軟な材質を用いて成型されている。
弁周壁６３の下端部６６は、ステム５０のフランジ５４に設けられた弁座５６に係合保持されており、ステム５０の上下動に応じて弁座５６と係合離脱し、液流路Ｘ３を開閉する。
摺動周壁６４は湾曲面となっており、上下の端部は、シリンダー筒２１内周に圧接されるようになっている。
【００２０】
ステム係合筒５２は、ステム５０の内孔に連続するようステム５０内周と同径の上部部分７０と、ステム５０外周と嵌合するよう内径が拡径された下部部分７１とを有しており、下部部分７１の内周には膨出部が設けられ、ステム５０外周に設けられた膨出環に係合して相互に締着するようにしている。
ステム係合筒５２の上部部分７０、下部部分７１を通じて連続する流路溝７２が刻設されており、上部部分７０の流路溝７２は、ステム５０内孔に通ずる開口７３となっている。
【００２１】
ステム係合筒５２の下端には、拡径された弁操作筒７４が垂設されており、その内周は、吐出弁５１の弁周壁６３外周に接合し、その下端は、吐出弁５１の連結部６５に係合可能になっている。
ステム係合筒５２の上端には、外周縁との間に段部７５を形成して注出筒７６が立設されている。
【００２２】
液受皿Ｄは、注出筒７６外周に嵌合する嵌合筒８０と、該嵌合筒８０の上端から外方に広がるよう連設された皿体８１とを有している。
皿体８１の内周縁には、注出筒７６の上端を被う頂壁８２と、所定個所に吐出口８３を設けた側壁８４とからなる蓋体８５が連設されており、皿体８１の外周縁の下端には、下方に突出する液切り部材８６が垂設されている。
【００２３】
図１に示すように、被せ蓋Ｅは、頂壁８７と側壁８８とからなり、該側壁８８の下端内周には取付部材Ｂの上壁７外周に設けられた膨出環に係合する膨出環が設けられ、嵌着されるようになっている。
【００２４】
次に、本発明の注出容器の使用態様と構成に基づく作用効果について説明する。
使用にあたって、まず、被せ蓋Ｅを取り外して液受皿Ｄの頂壁８２を押圧すると、ステム係合筒５２とそれに嵌着されたステム５０が下降する。
ステム５０の下降につれて、弁軸３８が押し下げられるとともに、吐出弁５１が弁座５６から離脱して液流路Ｘ３が開かれる。
さらに、ピストンＰの下降によって、シリンダー室Ｙ内の内圧が高くなり、吸込弁３９を閉鎖すると同時に、シリンダー室Ｙ内の内容液は、図５に示すように液流路Ｘ２、液流路Ｘ３、流路溝７２、開口７３を通ってステム５０内、注出筒７６内に吐出される。
【００２５】
次に、押圧を解くと、図６に示すように、ピストンＰは圧縮バネ６１の弾撥力によって上昇し、吐出弁５１の弁周壁６３の下端部６６が弁座５６に係合して液流路Ｘ３が閉鎖される。
さらに上昇するとシリンダー室Ｙ内が負圧となり、吸込弁３９が上昇し、ディッピングチューブ３６、液流路Ｘ１を通じて内容液はシリンダー室Ｙ内に吸い上げられ、最後には図３に示す状態までピストンＰが上昇し、内容液を吸い上げることになる。
【００２６】
押圧操作にあたって、ピストンＰの下降は、液受皿Ｄの嵌合筒８０下端が液溜め部１１の内筒１８の環状板１９に衝接することによって規制され、ピストンＰの上昇は、ステム係合筒５２の弁操作筒７４の上端が、案内筒２６に突設された位置決めリブ２９に衝接することによって規制され、一定量の内容液がシリンダー室Ｙから注出される。
押圧操作をくり返すと、シリンダー室Ｙ内から注出された内容液は、まず、ステム５０内と注出筒７６内に溜まり、次に液受皿Ｄに一定の内容液が吐出され保持される。
【００２７】
次に、綿、パフ等の塗布用具を液受皿Ｄの液に浸し、所要の個所に塗布する。
塗布用具を液受皿Ｄの液に浸すときに、液が液受皿Ｄの周縁から飛び出したり、周縁から液切り部材８６を伝わって落下することはしばしば起きることである。
その場合、落下した内容液は、取付部材Ｂの皿状の上壁７内に落ち、液溜め部１１に流れ落ちることになる。
【００２８】
液受皿Ｄの液を使い切った場合には、注出筒７６の頂壁８２を再び押圧することによって所要量の内容液を吐出することができる。
液受皿Ｄの液が余った場合は、注出容器を傾斜させることによって液溜め部１１の液とともに廃棄する。
【００２９】
次に、液受皿と取付部材の液溜め部の構造を変更した第２実施形態について、図７を参照して説明する。
図７において、Ａａは容器本体、Ｂａは取付部材、Ｃａはポンプ装置、Ｄａは液受皿、Ｅａは被せ蓋である。
容器本体Ａａ、ポンプ装置Ｃａ、被せ蓋Ｅａは、前記第１実施形態の容器本体Ａ、ポンプ装置Ｃ、被せ蓋Ｅと同一であるので、詳細な説明を省略し、説明に必要な部品については符号に添字ａを付して援用することにして、以下、取付部材Ｂａ、液受皿Ｄａについて説明する。
【００３０】
図に示すように、取付部材Ｂａは、上面６ａを皿状の湾曲面とした上壁７ａと、該上壁７ａの中央部から垂設され、内周にネジ８ａを刻設した螺着筒９ａと、上壁７ａの外周縁から垂設された外筒１０ａと、上壁７ａの内周縁に連設された液溜め部１１ａとを有している。
【００３１】
上壁７ａの螺着筒９ａ内側の下面は、平坦面１２ａとなっており、容器の口部１ａ上端面との間に、パッキング１３ａを介してポンプ装置Ｃａの取付フランジ２２ａを挟持するようにしている。
上壁７ａの外周縁上端には、膨出環１４ａが設けられ、外筒１０ａの上端面１５ａとともに、被せ蓋Ｅａの嵌合部が形成されている。
【００３２】
取付部材Ｂａの液溜め部１１ａは、前記上壁７ａの内周縁に続く傾斜壁１６ａと、該傾斜壁１６ａの下端から下方に延びる外筒１６ｂと、底壁１７ａおよび底壁１７ａの内周縁から上方に延びる内筒１８ａとからなっており、内筒１８ａの下方部には、内方に突出する環状板１９ａが設けられている。
【００３３】
液受皿Ｄａは、ポンプＣａの注出筒７６ａ外周に嵌合する嵌合筒８０ａと、該嵌合筒８０ａの上端から外方に広がるよう連設された皿体８１ａとを有している。
皿体８１ａの内周縁には、注出筒７６ａの上端を被う頂壁８２ａと、所定個所に吐出口８３ａを設けた側壁８４ａとからなる蓋体８５ａが連設されており、前記嵌合筒８０ａの外側の皿体８１ａの下面には、嵌合筒８０ａを囲むとともに液溜め部１１ａの内筒１８ａの上端外周を囲む外筒９０が垂設されている。
【００３４】
次に、上記構成に基づく作用効果について説明すると、注出容器の使用時に、液受皿Ｄａの周縁から落下した液は、取付部材Ｂａの上壁７ａ内に落ちて液溜め部１１ａに入り、液受皿Ｄａの周縁から皿体８１ａの裏面を伝わって流れる液は、外筒９０を伝わって流下し、液溜め部１１ａに落下することになる。
第２実施形態によるときは、皿体の周縁に液切り部材を設けなくてもよく、液受皿からこぼれた液の全てを液溜め部に確実に溜めることができる。
【００３５】
上記各実施形態においては、被せ蓋は、その下端に膨出部を設けて取付部材に被嵌するようにしているが、被せ蓋と取付部材を蝶番で連結して開閉するようにしてもよく、また、ネジ式としてもよい。
また、前記実施形態において、弁軸の長さを長くすることによって、ヘッドスペースを狭くし、一回の押圧操作だけで多量の内容液を液受皿に吐出させることができる。
【００３６】
【発明の効果】
本発明は、上記のように構成されているから、次の効果を奏する。
ポンプ装置の取付部材の上壁上面を皿状の湾曲面とし、上壁内周に液溜め部を連接したので、液受皿からこぼれ落ちた液を液溜め部に溜めることができ、塗布用具による雑菌、塵埃に汚染された液が、取付部材を汚したり、シリンダー部材と取付部材との間から容器内に滲み込むことを防ぐことができた。
また、液受皿からこぼれた液が、液受皿の裏面を伝わって流下することを阻止することができ、ピストン部材と案内筒との間からこぼれた液が容器内に滲む込むこともなくなった。
【図面の簡単な説明】
【図１】本発明の注出容器の一部断面正面図である。
【図２】液受皿と取付部材の説明図で、（ａ）は平面図、（ｂ）は断面図である。
【図３】注出容器の主要部の縦断面図である。
【図４】主要部の横断面図で、（ａ）は図２のＡ−Ａ線における断面図、（ｂ）はＢ−Ｂ線における断面図、（ｃ）はＣ−Ｃ線における断面図である。
【図５】ピストンが最下位にある吐出時の状態の説明図である。
【図６】  ピストンが上昇し始めた吸い上げ時の状態の説明図である。
【図７】  第２実施形態の主要部の一部断面正面図である。
【符号の説明】
Ａ、Ａａ            容器本体
Ｂ、Ｂａ            取付部材
Ｃ、Ｃａ            ポンプ装置
Ｃ１、Ｃ１ａ        シリンダー部材
Ｃ２、Ｃ２ａ        ピストン部材
Ｄ、Ｄａ            液受皿
Ｅ、Ｅａ            被せ蓋
Ｐ、                ピストン
Ｘ１、Ｘ２、Ｘ３    液流路
Ｙ                  シリンダー室
６、６ａ            上面
７、７ａ            上壁
９、９ａ            螺着筒
１０、１０ａ          外筒
１１、１１ａ          液溜め部
１２、１２ａ          平坦面
１４、１４ａ          膨出環
１５、１５ａ          上端面
１６、１６ａ          傾斜壁
１７、１７ａ          底壁
１８、１８ａ          内筒
１９、１９ａ          環状板
２０                  取付筒
２１                  シリンダー筒
２２、２２ａ          取付フランジ
２５                  案内部材
２６                  案内筒
５４                  フランジ
３０                  弁受部
３２、４２、７３      開口
３３、５６            弁座
３４                  バネ受けリブ
３６                  ディッピイングチューブ
３７                  弁体
３８                  弁軸
３９                  吸込弁
４０                  弁部
５０                  ステム
５１                  吐出弁
５２                  ステム係合筒
５３                  係止環
５５                  突出リング
５８                  バネ受け面
６１                  圧縮バネ
６３                  弁周壁
６４                  摺動周壁
６５                  連結部
６６                  下端部
７２                  流路溝
７４                  弁操作筒
７６、７６ａ          注出筒
８０、８０ａ          嵌合筒
８１、８１ａ          皿体
８２、８２ａ          頂壁
８３、８３ａ          吐出口
８４、８４ａ          側壁
８５、８５ａ          蓋体
８６                  液切り部材
９０                  外筒
【図１】
0003816222.tif 000002
【図２】
0003816222.tif 000003
【図３】
0003816222.tif 000004
【図４】
0003816222.tif 000005
【図５】
0003816222.tif 000006
【図６】
0003816222.tif 000007
【図７】
0003816222.tif 000008